(57)【要約】【課題】着脱部材が圧接荷重を保持する構成と比較して、一方の回転体と他方の回転体との圧接を解除する際に着脱部材が装置本体に対してロックされることを抑制する着脱装置を得る。【解決手段】着脱装置８０は、装置本体１０Ａに対して装着及び離脱可能に設けられ、装置本体１０Ａに設けられた矯正ベルト８２が圧接される矯正ロール８４を備えたカバー９２と、装置本体１０Ａに設けられ、カバー９２を装置本体１０Ａへの装着位置で保持して矯正ベルト８２と矯正ロール８４との間の圧接荷重を保持すると共にカバー９２を保持しない位置に移動可能とされた移動部材１０６と、カバー９２に設けられ、カバー９２を装置本体１０Ａから離脱する動作に伴ってカバー９２を保持しない位置に移動部材１０６を移動させて矯正ベルト８２と矯正ロール８４との圧接を解除するピン１３０と、を有する。【選択図】図２
2017161652.tif 000002
【特許請求の範囲】
【請求項１】
装置本体に対して装着及び離脱可能に設けられ、前記装置本体に設けられた一方の回転体が圧接される他方の回転体を備えた着脱部材と、
前記装置本体に設けられ、前記着脱部材を前記装置本体への装着位置で保持して前記一方の回転体と前記他方の回転体との間の圧接荷重を保持すると共に、前記着脱部材を保持しない位置に移動可能とされた移動部材と、
前記着脱部材に設けられ、前記着脱部材を前記装置本体から離脱する動作に伴って前記着脱部材を保持しない位置に前記移動部材を移動させて前記一方の回転体と前記他方の回転体との圧接を解除する解除部材と、
を有する着脱装置。
【請求項２】
前記移動部材は、前記着脱部材の前記装置本体に対する着脱方向と交差する方向に移動する構成とされている請求項１に記載の着脱装置。
【請求項３】
前記着脱部材は、
前記移動部材と係合して前記移動部材に保持される係合部と、
前記係合部を支持し、前記着脱部材の着脱方向への定められた距離の前記係合部の相対移動を許容する許容構造と、
を備える請求項１又は請求項２に記載の着脱装置。
【請求項４】
前記着脱部材を保持する位置に前記移動部材を付勢する付勢部材を備え、
前記解除部材は、前記移動部材に設けられた傾斜部を摺動することで、前記付勢部材の力に抗して前記着脱部材を保持しない位置に前記移動部材を移動させる構成とされている請求項１から請求項３までのいずれか１項に記載の着脱装置。
【請求項５】
記録媒体の搬送方向における定着装置より下流側に配置されたカール除去装置を備え、
請求項１から請求項４までのいずれか１項に記載の着脱装置が、前記カール除去装置に設けられた一方の回転体と他方の回転体を圧接又は離脱する構成とされている画像形成装置。
【発明の詳細な説明】
【技術分野】
【０００１】
本発明は、着脱装置及び画像形成装置に関する。
【背景技術】
【０００２】
下記特許文献１には、装置本体の支持部に駆動ロールが支持されると共に、開閉カバーに配置された従動ロールのシャフトが、開閉カバーに付勢バネを介して設けられた支持部材の支持孔に移動可能に支持されている構造が開示されている。この構造では、開閉カバーの閉鎖時に、装置本体の支持部に形成された凹部に従動ロールのシャフトを挿入することで、従動ロールが付勢バネによって付勢され、駆動ロールに対して位置決めされる。
【０００３】
下記特許文献２には、本体フレームに対し開閉される排紙フレームを備え、排紙フレームを閉じたときには、排紙フレームに保持される従動ロールを、戻しバネを介して本体フレームの駆動ロールに付勢する構造が開示されている。
【先行技術文献】
【特許文献】
【０００４】
【特許文献１】特開２００６−１５４６０４号公報
【特許文献２】特開２００３−３００６４３号公報
【発明の概要】
【発明が解決しようとする課題】
【０００５】
開閉カバーに設けられた単一のバネで２つのロールの圧接荷重の保持と、装置本体に対する開閉カバーの保持とを行う構成では、バネの反力により装置本体と開閉カバーの係合部がロックするため、装置本体に対し開閉カバーが開けにくい場合がある。
【０００６】
本発明は、着脱部材が圧接荷重を保持する構成と比較して、一方の回転体と他方の回転体との圧接を解除する際に着脱部材が装置本体に対してロックされることを抑制する着脱装置を得ることが目的である。
【課題を解決するための手段】
【０００７】
請求項１に記載の発明に係る着脱装置は、装置本体に対して装着及び離脱可能に設けられ、前記装置本体に設けられた一方の回転体が圧接される他方の回転体を備えた着脱部材と、前記装置本体に設けられ、前記着脱部材を前記装置本体への装着位置で保持して前記一方の回転体と前記他方の回転体との間の圧接荷重を保持すると共に、前記着脱部材を保持しない位置に移動可能とされた移動部材と、前記着脱部材に設けられ、前記着脱部材を前記装置本体から離脱する動作に伴って前記着脱部材を保持しない位置に前記移動部材を移動させて前記一方の回転体と前記他方の回転体との圧接を解除する解除部材と、を有する。
【０００８】
請求項２に記載の発明は、請求項１に記載の着脱装置において、前記移動部材は、前記着脱部材の前記装置本体に対する着脱方向と交差する方向に移動する構成とされている。
【０００９】
請求項３に記載の発明は、請求項１又は請求項２に記載の着脱装置において、前記着脱部材は、前記移動部材と係合して前記移動部材に保持される係合部と、前記係合部を支持し、前記着脱部材の着脱方向への定められた距離の前記係合部の相対移動を許容する許容構造と、を備える。
【００１０】
請求項４に記載の発明は、請求項１から請求項３までのいずれか１項に記載の着脱装置において、前記着脱部材を保持する位置に前記移動部材を付勢する付勢部材を備え、前記解除部材は、前記移動部材に設けられた傾斜部を摺動することで、前記付勢部材の力に抗して前記着脱部材を保持しない位置に前記移動部材を移動させる構成とされている。
【００１１】
請求項５に記載の発明に係る画像形成装置は、記録媒体の搬送方向における定着装置より下流側に配置されたカール除去装置を備え、請求項１から請求項４までのいずれか１項に記載の着脱装置が、前記カール除去装置に設けられた一方の回転体と他方の回転体を圧接又は離脱する構成とされている。
【発明の効果】
【００１２】
請求項１に記載の発明によれば、着脱部材が圧接荷重を保持する構成と比較して、一方の回転体と他方の回転体との圧接を解除する際に着脱部材が装置本体に対してロックされることが抑制される。
【００１３】
請求項２に記載の発明によれば、着脱部材の装置本体に対する着脱方向に沿って移動部材が移動する構成と比較して、小さい操作力で移動部材を移動させることでできる。
【００１４】
請求項３に記載の発明によれば、着脱部材が移動部材を保持する係合部と該係合部の相対移動を許容する許容構造とを有しない構成と比較して、着脱部材の離脱開始と移動部材の移動開始のタイミングをずらすことができる。
【００１５】
請求項４に記載の発明によれば、解除部材が移動部材の傾斜部を摺動することによって移動部材を移動させる構成を有しないものと比較して、簡単な構造で移動部材を着脱方向と異なる方向に移動させることができる。
【００１６】
請求項５に記載の発明によれば、着脱装置がカール除去装置に設けられていない構成と比較して、カール除去装置に設けられた一方の回転体と他方の回転体との圧接を解除する際に、着脱部材が装置本体に対してロックされることが抑制される。
【図面の簡単な説明】
【００１７】
【図１】本発明の一実施形態に係る画像形成装置を示す構成図である。
【図２】図１に示す画像形成装置に用いられる一実施形態に係る着脱装置を示す構成図であって、装置本体に対してカバーが装着された状態を示す図である。
【図３】図２に示す着脱装置の装置本体に対してカバーを離脱する方向に移動する途中の状態を示す構成図である。
【図４】図２に示す着脱装置の装置本体に対してカバーを離脱する方向に移動する途中の状態を示す構成図であって、ピンと移動部材との係合が解除された状態を示す図である。
【図５】図２に示す着脱装置の装置本体に対してカバーを離脱方向に移動させた状態を示す構成図である。
【図６】図５に示す着脱装置の装置本体に対してカバーを装着する途中の状態を示す構成図であって、移動部材が押し下げられる状態を示す図である。
【図７】図５に示す着脱装置の装置本体に対してカバーを装着した状態を示す構成図である。
【発明を実施するための形態】
【００１８】
以下に、本発明の着脱装置及び画像形成装置の実施の形態を図面に基づいて説明する。なお、図面において、矢印Ｈで示す方向を装置高さ方向、矢印Ｗで示す方向を装置幅方向とする。
【００１９】
（画像形成装置の全体構成）
図１には、本発明の一実施形態である着脱装置を備えた画像形成装置の構成の一例が示されている。なお、以下では、黄色をＹ、マゼンタ色をＭ、シアン色をＣ、黒色をＫで表すと共に、各構成部品及びトナー画像（画像）を色毎に区別する必要がある場合には、符号の末尾に各色に対応する色の符号（Ｙ、Ｍ、Ｃ、Ｋ）を付して説明する。また、以下では、各構成部品及びトナー画像を色毎に区別せずに総称する場合には、符号の末尾の色の符号を省略して説明する。
【００２０】
図１に示されるように、画像形成装置１０は、装置本体１０Ａの内部に、画像処理を行う画像処理部１２と、各色のトナー画像を形成する画像形成ユニット１６と、を備えている。画像形成ユニット１６は、水平方向に対して傾斜する方向に間隔をおいて配置されている。各色の画像形成ユニット１６の鉛直方向の上方には、各色の画像形成ユニット１６で形成されたトナー画像が多重に転写される一次転写ユニット１８が設けられている。        
【００２１】
一次転写ユニット１８の側方（図１の左側）には、後述する供給搬送ユニット３０によって搬送経路６０に沿って搬送された記録媒体の一例としての用紙Ｐに、一次転写ユニット１８に多重に転写されたトナー画像を転写する二次転写ロール２２が設けられている。
【００２２】
二次転写ロール２２に対して用紙Ｐの搬送方向の下流側には、用紙Ｐに転写されたトナー画像を熱及び圧力によって用紙Ｐに定着させる定着装置２４が設けられている。また、定着装置２４に対して用紙Ｐの搬送方向の下流側には、用紙Ｐを挟んで加圧しながら搬送することにより用紙Ｐのカールを除去するカール除去装置（矯正装置）８０が設けられている。
【００２３】
また、カール除去装置８０に対して用紙Ｐの搬送方向の下流側には、装置本体１０Ａの上部に設けられた排出部２６Ａに用紙Ｐを排出する排出ロール２８Ａと、排出部２６Ａより上部に設けられた排出部２６Ｂに用紙Ｐを排出する排出ロール２８Ｂとが設けられている。
【００２４】
画像形成ユニット１６の下方及び側方には、用紙Ｐを供給し搬送する供給搬送ユニット３０が設けられている。また、一次転写ユニット１８の上方には、後述する現像器３８に補給されるトナーが充填されるトナーカートリッジ１４が色別に４個（１４Ｋ〜１４Ｙ）装置幅方向に並んで配置されている。
【００２５】
各色の画像形成ユニット１６は、トナーの色以外はすべて同様に構成されており、回転する円柱状の像保持体３４と、像保持体３４の表面を帯電させる帯電器３６と、帯電した像保持体３４の表面に静電潜像を形成する露光光を照射する露光装置３２と、を備えている。また、画像形成ユニット１６は、露光装置３２による露光光の照射によって形成された静電潜像を現像剤で現像する現像器３８を備えている。また、画像形成ユニット１６は、像保持体３４の表面を清掃する図示しない清掃ブレードを備えている。
【００２６】
現像器３８には、像保持体３４と対向して現像ロール３９が配置されており、現像器３８は、現像ロール３９を用いて像保持体３４に形成された静電潜像を現像剤で現像してトナー画像として可視化する。
【００２７】
一次転写ユニット１８は、無端状の中間転写ベルト４２と、中間転写ベルト４２が巻き掛けられる駆動ロール４６、張力付与ロール４８及び補助ロール５０と、を備えている。駆動ロール４６は、中間転写ベルト４２を矢印Ａ方向に周回させ、張力付与ロール４８は、中間転写ベルト４２に張力を付与する。また、一次転写ユニット１８は、中間転写ベルト４２を挟んで各色の像保持体３４の反対側に各々配置される一次転写ロール５２を備えている。さらに、中間転写ベルト４２の表面に接して中間転写ベルト４２の表面を清掃する清掃ブレード５６が、中間転写ベルト４２を挟んで駆動ロール４６の反対側に配置されている。
【００２８】
また、中間転写ベルト４２を挟んで補助ロール５０の反対側には、中間転写ベルト４２上に転写されたトナー画像を、搬送される用紙Ｐに転写する二次転写ロール２２が設けられている。二次転写ロール２２は接地されており、補助ロール５０は二次転写ロール２２の対向電極を形成しており、補助ロール５０は、二次転写電圧が印加されることにより、用紙Ｐにトナー画像が転写される。
【００２９】
供給搬送ユニット３０は、装置本体１０Ａ内において、画像形成ユニット１６に対して鉛直方向の下方に配置され、複数の用紙Ｐが積載される給紙部材６２を備えている。さらに、供給搬送ユニット３０は、給紙部材６２に積載された用紙Ｐを搬送経路６０へ送り出す給紙ロール６４と、給紙ロール６４によって送り出された用紙Ｐを１枚ずつ分離する分離ロール６６と、用紙Ｐの搬送タイミングを合わせる位置合わせロール６８と、を備えている。
【００３０】
定着装置２４は、無端状の加熱ベルト２４Ａと、回転駆動される加圧ロール２４Ｂと、を備えている。加熱ベルト２４Ａは、加圧ロール２４Ｂの回転に伴い、従動して回転する。定着装置２４に搬送された用紙Ｐは、加熱ベルト２４Ａにより加熱され、かつ加熱ベルト２４Ａ及び加圧ロール２４Ｂにより加圧されて、用紙Ｐの一方の面（画像形成面）にトナー画像が定着される。
【００３１】
カール除去装置８０は、一方の回転体の一例としての無端状の矯正ベルト８２と、他方の回転体の一例としての矯正ロール８４と、を備えている。また、矯正ロール８４は、図示しないモータにより回転駆動されており、矯正ベルト８２は、矯正ロール８４の回転に伴い、従動して回転する。カール除去装置８０に搬送された用紙Ｐは、矯正ベルト８２及び矯正ロール８４により加圧されて搬送される結果、用紙Ｐのカールが矯正及び除去される。
【００３２】
さらに、供給搬送ユニット３０は、一方の面にトナー画像が定着された用紙Ｐを、排出ロール２８Ｂによって排出部２６Ｂにそのまま排出させずに、他方の面にトナー画像を形成するために用いる両面搬送装置７０を備えている。両面搬送装置７０は、排出ロール２８Ｂから位置合わせロール６８に向けて用紙Ｐの表裏が反転されて用紙Ｐが搬送される両面搬送経路７２と、両面搬送経路７２に沿って用紙Ｐを搬送する搬送ロール７４及び搬送ロール７６とを備えている。
【００３３】
画像形成装置１０では、画像処理部１２から対応する色の露光装置３２に各色の階調データが順次出力され、露光装置３２から出射された露光光は、帯電器３６によって帯電された像保持体３４の表面に照射される。これにより、像保持体３４の表面には静電潜像が形成される。像保持体３４上に形成された静電潜像は、各色の現像器３８によって現像され、各々Ｙ、Ｍ、Ｃ、Ｋの各色のトナー画像として可視化される。さらに、一次転写ユニット１８の一次転写ロール５２によって、像保持体３４上に形成された各色のトナー画像が、周回する中間転写ベルト４２上に多重に転写される。
【００３４】
中間転写ベルト４２上に多重に転写された各色のトナー画像は、給紙部材６２から給紙ロール６４、分離ロール６６、位置合わせロール６８によって搬送経路６０に沿って搬送されてきた用紙Ｐに二次転写ロール２２によって二次転写位置で二次転写される。
【００３５】
また、トナー画像が転写された用紙Ｐは、定着装置２４へと搬送され、トナー画像が定着装置２４によって用紙Ｐに定着される。トナー画像が定着された用紙Ｐは、カール除去装置８０によって用紙Ｐのカールが矯正及び除去される。さらに、カールが矯正された用紙Ｐは、排出ロール２８Ａによって排出部２６Ａに排出され、又は排出ロール２８Ｂによって排出部２６Ｂに排出される。
【００３６】
（着脱装置の構成）
次に、本実施形態のカール除去装置８０に適用される着脱装置について説明する。図２には、着脱装置９０に用いられるカバー９２が装置本体１０Ａに対して装着された状態が示されている。また、図４には、着脱装置９０に用いられるカバー９２が装置本体１０Ａに対して離脱される途中の状態が示されている。図２及び図４に示されるように、着脱装置９０は、画像形成装置１０の装置本体１０Ａに対して装着及び着脱可能に設けられた着脱部材の一例としてのカバー９２を備えている。カバー９２は、装置本体１０Ａの下部側に設けられたヒンジ９３（図１参照）を中心に、上部側が装置幅方向に沿って回転する構成とされている。なお、図２〜図７では、カバー９２は、実際は装置本体１０Ａに対して回転しているが、回転角度が小さいため、直線で近似して図示している。
【００３７】
装置本体１０Ａには、カール除去装置８０に配置された前述の一方の回転体の一例としての矯正ベルト８２が設けられている。カバー９２には、カール除去装置８０に配置された前述の他方の回転体の一例としての矯正ロール８４が設けられている。矯正ベルト８２と矯正ロール８４は、装置幅方向（矢印Ｗ方向）に並んでいる。カバー９２が装置本体１０Ａに対し装着された状態（カバー９２が閉止された状態）では、矯正ロール８４が矯正ベルト８２に圧接されるようになっている（図２参照）。
【００３８】
カール除去装置８０は、矯正ベルト８２を回転（周回移動）可能に支持する支持ユニット９４と、支持ユニット９４を保持する保持部材９６と、を備えている。支持ユニット９４及び保持部材９６は、装置本体１０Ａの内部に配置されており、保持部材９６は図示しない取付具により装置本体１０Ａに取り付けられている。
【００３９】
矯正ベルト８２は、ポリイミド樹脂やポリアミドイミド樹脂等の合成樹脂で構成された薄肉円筒状の部材で構成されている。矯正ベルト８２の内部には、矯正ベルト８２を矯正ロール８４に押し付けるパッド９８と、パッド９８を保持する保持部１００とが設けられている。さらに、矯正ベルト８２の内部には、矯正ベルト８２を回転可能に支持する支持部１０２が設けられている。
【００４０】
支持ユニット９４は、親レバー９４Ａと、親レバー９４Ａの下部に配置された軸部９４Ｂを中心に親レバー９４Ａに対して回転する子レバー９４Ｃと、を備えている。親レバー９４Ａには、子レバー９４Ｃを矯正ロール８４側に付勢するスプリング９４Ｄが設けられている。保持部１００及び支持部１０２は、一例として、子レバー９４Ｃに取り付けられており、スプリング９４Ｄの力により、矯正ベルト８２が矯正ロール８４に押し付けられるようになっている。また、保持部材９６には、カム１０４が回転可能に支持されており、カム１０４の回転により、親レバー９４Ａが矯正ベルト８２に接近又は離間する側に移動する構成とされている。カム１０４は、図示しないモータによって回転駆動される。また、子レバー９４Ｃは、親レバー９４Ａに対してスプリング９４Ｄにより矯正ロール８４側に付勢されていることで、子レバー９４Ｃに支持された矯正ベルト８２が矯正ロール８４に接近する接近方向、及び矯正ロール８４から離間する離間方向に移動可能とされている。なお、支持ユニット９４の構成は、本実施形態に限定されるものではなく、適宜変更が可能である。
【００４１】
カール除去装置８０は、支持ユニット９４により矯正ベルト８２の移動量及び移動方向を調整することにより、矯正ベルト８２と矯正ロール８４とによって用紙Ｐを挟むニップ圧（圧接荷重）を調整する。また、カール除去装置８０は、ニップ圧を調整することにより、用紙Ｐが矯正ベルト８２と矯正ロール８４とのニップ部に挟まれる際の用紙Ｐとニップ部との接触面積（ニップ量）を調整する。以上の構成により、カール除去装置８０は、ニップ圧及びニップ量を調整することにより、用紙Ｐの矯正量や矯正方向を調整する。カール除去装置８０に搬送された用紙Ｐは、矯正ベルト８２と矯正ロール８４とのニップ部で加圧されて搬送される結果、用紙Ｐのカールが除去又は矯正されるようになっている。
【００４２】
着脱装置９０は、保持部材９６に対して上下方向に移動可能に配置された移動部材１０６を備えている。移動部材１０６は、保持部材９６に上下方向に設けられたガイド部（図示省略）に沿って、上下方向に移動可能とされている。移動部材１０６は、装置本体１０Ａに対するカバー９２の着脱方向（矢印Ｗに示す装置幅方向）と交差する方向に移動する構成とされている。本実施形態では、移動部材１０６は、装置本体１０Ａに対するカバー９２の着脱方向（矢印Ｗに示す装置幅方向）と直交する方向に移動している。言い換えると、移動部材１０６は、矯正ベルト８２と矯正ロール８４との圧接荷重の作用する方向と直交する方向に移動している。移動部材１０６は、着脱装置９０の正面視にてＵ字状に形成されている。より具体的には、移動部材１０６は、着脱装置９０の正面視にて保持部材９６と重なる位置に上下方向に沿って配置された縦壁部１０６Ａと、縦壁部１０６Ａの上下方向の上端部からカバー９２側に延びた上側フック１０６Ｂと、縦壁部１０６Ａの上下方向の下端部からカバー９２側に延びた下側フック１０６Ｃと、を備えている。着脱装置９０の正面視にて、上側フック１０６Ｂの長手方向の長さは、下側フック１０６Ｃの長手方向の長さよりも長い。
【００４３】
上側フック１０６Ｂの長手方向中間部における上壁部には、上下方向下側に窪むと共にカバー９２に設けられた後述する上側のピン１２６と係合する窪み部１０８が設けられている。また、下側フック１０６Ｃの長手方向中間部における上壁部には、上下方向下側に窪むと共にカバー９２に設けられた後述する下側のピン１２６と係合する窪み部１０８が設けられている。保持部材９６の下壁部９６Ａには、上方側に突出するように配置された突出部１１２が設けられている。突出部１１２の周囲には、移動部材１０６を上方側のカバー９２を保持する位置に付勢する付勢部材の一例としてのスプリング１１０が設けられている。移動部材１０６は、スプリング１１０の力により保持部材９６に対して上方側に移動した状態で、上側フック１０６Ｂの窪み部１０８にカバー９２の上側のピン１２６が係合すると共に、下側フック１０６Ｃの窪み部１０８にカバー９２の下側のピン１２６が係合する（図２参照）。これにより、移動部材１０６が、カバー９２を装置本体１０Ａへの装着位置で保持することで、矯正ベルト８２と矯正ロール８４との間の圧接荷重が保持されるようになっている。
【００４４】
また、移動部材１０６は、スプリング１１０の力に抗して下方側に移動することにより、カバー９２を保持しない位置に移動する構成とされている。言い換えると、移動部材１０６は下方側に移動した状態で、上側フック１０６Ｂの窪み部１０８とカバー９２の上側のピン１２６との係合が解除されると共に、下側フック１０６Ｃの窪み部１０８とカバー９２の下側のピン１２６との係合が解除されるようになっている（図４参照）。
【００４５】
カバー９２には、矯正ロール８４を回転可能に支持する支持部材１２０が設けられている。より具体的には、矯正ロール８４は、シャフト８４Ａと、シャフト８４Ａの周囲に設けられた外周部８４Ｂと、を備えており、矯正ロール８４のシャフト８４Ａは、支持部材１２０に回転可能に支持されている。矯正ロール８４のシャフト８４Ａは、図示しないモータによって回転駆動される。矯正ロール８４は、矯正ベルト８２との接触部で用紙Ｐを上下方向の下側から上側に向かって送る方向に回転する（図１参照）。装置本体１０Ａの保持部材９６には、カバー９２が装置本体１０Ａに装着された状態で、シャフト８４Ａが挿入されるＵ字状の凹部９６Ｂが設けられている。
【００４６】
カバー９２は、装置幅方向（矢印Ｗ方向）に沿って配置されると共に支持部材１２０を移動可能に支持する複数のフロートピン１２２を備えている。複数のフロートピン１２２は、カバー９２における装置本体１０Ａ側の内壁部９２Ａに固定されている。支持部材１２０には、カバー９２に対向する壁部１２０Ａが設けられており、フロートピン１２２が壁部１２０Ａに設けられた孔部（図示省略）をそれぞれ貫通している。また、カバー９２と支持部材１２０との間には、フロートピン１２２の周囲に配置されると共に支持部材１２０を保持部材９６側に付勢するフロートバネ１２４が設けられている。フロートピン１２２の先端には、外径が壁部１２０Ａの孔部（図示省略）の内径よりも大きいストッパ１２３が設けられている。
【００４７】
支持部材１２０は、フロートピン１２２に沿って装置幅方向（矢印Ｗ方向）に移動可能とされている。フロートバネ１２４は、自由状態で支持部材１２０の壁部１２０Ａがストッパ１２３に接触する位置まで支持部材１２０を移動させる構成とされている（図４及び図５参照）。言い換えると、カバー９２が装置本体１０Ａに対して離脱された状態（カバー９２が開放された状態）では、フロートバネ１２４の力により、支持部材１２０の壁部１２０Ａがストッパ１２３に接触する位置まで支持部材１２０が移動している。一方、カバー９２が装置本体１０Ａに対し装着された状態（カバー９２が閉止された状態）では、矯正ロール８４が矯正ベルト８２に接触し、フロートバネ１２４が圧縮されることで、支持部材１２０がフロートピン１２２に沿ってカバー９２に接近する側に移動している（図２参照）。
【００４８】
支持部材１２０には、矯正ロール８４の上方側に、移動部材１０６における上側フック１０６Ｂの窪み部１０８と係合する係合部の一例としてのピン１２６が設けられている。また、支持部材１２０には、矯正ロール８４の下方側に、移動部材１０６における下側フック１０６Ｃの窪み部１０８と係合する係合部の一例としてのピン１２６が設けられている。支持部材１２０は、上側のピン１２６が上側フック１０６Ｂの窪み部１０８と係合すると共に、支持部材１２０の下側のピン１２６が下側フック１０６Ｃの窪み部１０８と係合することで、移動部材１０６に保持されるようになっている。
【００４９】
図３に示されるように、カバー９２を装置本体１０Ａに対して離脱する方向（矢印Ｂ方向）に移動させる途中では、フロートバネ１２４が伸びることで、支持部材１２０がカバー９２の移動に追従せず、支持部材１２０が元の位置に保持される構成とされている。この状態では、支持部材１２０が移動しないため、上側のピン１２６と上側フック１０６Ｂの窪み部１０８との係合が維持されると共に、支持部材１２０の下側のピン１２６と下側フック１０６Ｃの窪み部１０８との係合が維持されるようになっている。言い換えると、支持部材１２０は、２つのピン１２６を備えており、フロートバネ１２４の伸縮によりカバー９２と支持部材１２０とが相対移動することで、カバー９２の着脱方向への定められた距離のカバー９２と２つのピン１２６との相対移動が許容される。すなわち、本実施形態では、支持部材１２０と、フロートピン１２２と、フロートバネ１２４とで、カバー９２と２つのピン１２６との相対移動を許容する許容構造が構成されている。
【００５０】
図２〜図４に示されるように、着脱装置９０は、カバー９２に設けられると共に移動部材１０６を移動させる解除部材の一例としてのピン１３０を備えている。より具体的には、カバー９２の内壁部９２Ａの上部側（フロートピン１２２より上側）には、装置本体１０Ａ側に延びた突出部１２８が設けられており、突出部１２８の先端にピン１３０が固定されている。ピン１３０の軸方向は、矯正ロール８４のシャフト８４Ａに沿った方向とされている。
【００５１】
移動部材１０６における上側フック１０６Ｂの上壁部には、カバー９２に接近する方向に向かって上り勾配となるように配置された傾斜部の一例としての第１傾斜部（テーパ形状部）１１４Ａが設けられている。第１傾斜部１１４Ａは、上側フック１０６Ｂの長手方向における窪み部１０８よりもカバー９２側に設けられている。さらに、上側フック１０６Ｂの上壁部には、第１傾斜部１１４Ａのカバー９２側の端部と隣接する位置に上下方向の高さが最も高い頂部１１４Ｂが設けられている。頂部１１４Ｂは、平面とされている。
【００５２】
カバー９２を装置本体１０Ａから離脱する動作に伴って、ピン１３０が上側フック１０６Ｂの第１傾斜部１１４Ａ及び頂部１１４Ｂと摺動することで、ピン１３０に押されて移動部材１０６がスプリング１１０の力に抗して下方側に移動するようになっている（図４参照）。移動部材１０６の下方側への移動により、上側のピン１２６と上側フック１０６Ｂの窪み部１０８との係合が解除されると共に、支持部材１２０の下側のピン１２６と下側フック１０６Ｃの窪み部１０８との係合が解除される。すなわち、移動部材１０６は、カバー９２を保持しない位置に移動している。これにより、カバー９２を装置本体１０Ａから離脱する方向（矢印Ｂ方向）に移動させることで、矯正ロール８４と矯正ベルト８２との圧接が解除されるようになっている。
【００５３】
また、移動部材１０６における上側フック１０６Ｂの上壁部には、頂部１１４Ｂと隣接する位置に、カバー９２に接近する方向に向かって下り勾配となるように配置された第２傾斜部１１４Ｃが設けられている。第２傾斜部１１４Ｃは、上側フック１０６Ｂの長手方向における第１傾斜部１１４Ａ及び頂部１１４Ｂよりも先端側（カバー９２側）に配置されている。カバー９２を装置本体１０Ａに対して装着する動作に伴って、ピン１３０が上側フック１０６Ｂの第２傾斜部１１４Ｃと摺動することで、ピン１３０に押されて移動部材１０６がスプリング１１０の力に抗して下方側に移動するようになっている（図６参照）。
【００５４】
カバー９２の上部（フロートピン１２２よりも上方側）には、Ｌ字状の係止部１３２Ａを備えたフック１３２が設けられている。装置本体１０Ａには、フック１３２の係止部１３２Ａが係止されるピン１１６が設けられている。フック１３２は、係止部１３２Ａと反対側にカバー９２の表側に露出する操作レバー１３２Ｂを備えている。フック１３２は、係止部１３２Ａと操作レバー１３２Ｂとの間に設けられた軸部１３２Ｃを中心に回転可能とされている。カバー９２は、操作レバー１３２Ｂを操作することにより、フック１３２の係止部１３２Ａとピン１１６との係止が解除される方向に移動する構成とされている。また、フック１３２は、フロートバネ１２４の力で係止部１３２Ａがピン１１６と係合される位置に保持され、カバー９２が装置本体１０Ａに対して装着される位置で保持される（ロックされる）ようになっている。
【００５５】
（作用及び効果）
次に、本実施形態の作用及び効果について説明する。
【００５６】
図２に示されるように、カバー９２を装置本体１０Ａに対し装着した状態（カバー９２を閉止した状態）では、スプリング１１０の力により、装置本体１０Ａに設けられた移動部材１０６がカバー９２を保持する位置に移動している。すなわち、カバー９２の支持部材１２０に設けられた上側のピン１２６が、移動部材１０６の上側フック１０６Ｂの窪み部１０８と係合し、カバー９２の支持部材１２０に設けられた下側のピン１２６が、移動部材１０６の下側フック１０６Ｃの窪み部１０８と係合している。これにより、カバー９２が装置本体１０Ａの装着位置で保持され、装置本体１０Ａに設けられた矯正ベルト８２とカバー９２に設けられた矯正ロール８４とのニップ圧（圧接荷重）が保持されている。
【００５７】
図３に示されるように、カバー９２を装置本体１０Ａに対して離脱する際には、カバー９２を装置本体１０Ａから離れる方向（矢印Ｂ方向）に移動させる。その際、カバー９２の表側に露出するフック１３２の操作レバー１３２Ｂを操作することで、フック１３２の係止部１３２Ａと装置本体１０Ａのピン１１６との係止を解除する。
【００５８】
カバー９２を装置本体１０Ａに対して離脱する方向（矢印Ｂ方向）に移動させる途中では、フロートバネ１２４が伸びることで、支持部材１２０がカバー９２の移動に追従せず、支持部材１２０が元の位置に保持される。このため、上側のピン１２６と上側フック１０６Ｂの窪み部１０８との係合が維持されると共に、支持部材１２０の下側のピン１２６と下側フック１０６Ｃの窪み部１０８との係合が維持される。すなわち、フロートバネ１２４が伸びて支持部材１２０が元の位置に保持されることで、カバー９２の離脱方向への定められた距離におけるカバー９２と２つのピン１２６、１２６の相対移動が許容されている。したがって、装置本体１０Ａに対してカバー９２が離脱方向への定められた距離を移動するまでは、上側のピン１２６と上側フック１０６Ｂの窪み部１０８との係合と、上側のピン１２６と上側フック１０６Ｂの窪み部１０８との係合とが保持される。
【００５９】
カバー９２を装置本体１０Ａに対して離脱する方向（矢印Ｂ方向）にさらに移動させると、カバー９２を装置本体１０Ａから離脱する動作に伴ってカバー９２のピン１３０が、移動部材１０６の上側フック１０６Ｂの第１傾斜部１１４Ａ及び頂部１１４Ｂを摺動する。これにより、カバー９２のピン１３０に押されて移動部材１０６がスプリング１１０の力に抗して下方側に移動する。図４に示されるように、カバー９２のピン１３０が上側フック１０６Ｂの頂部１１４Ｂと接触した状態では、上側のピン１２６と上側フック１０６Ｂの窪み部１０８との係合が解除されると共に、支持部材１２０の下側のピン１２６と下側フック１０６Ｃの窪み部１０８との係合が解除される。すなわち、移動部材１０６がカバー９２を保持しない位置に移動するため、矯正ロール８４と矯正ベルト８２との圧接が解除される。また、カバー９２を離脱する動作に伴ってフロートバネ１２４が伸びることで、フロートピン１２２に対する支持部材１２０のフロート量が減少し、支持部材１２０がフロートピン１２２のストッパ１２３に接触する位置に移動する（支持部材１２０のフロート量がゼロとなる）。これにより、支持部材１２０は、カバー９２と連動して離脱方向（矢印Ｂ方向）に移動する。
【００６０】
カバー９２を装置本体１０Ａに対して離脱する方向（矢印Ｂ方向）にさらに移動させることで、図５に示されるように、カバー９２が装置本体１０Ａに対して離脱した状態（カバー９２が開放された状態）となる。カバー９２を装置本体１０Ａに対して離脱する途中で、カバー９２の上側のピン１２６が上側フック１０６Ｂから離れることで、スプリング１１０の力により、移動部材１０６が上方側に移動する。なお、保持部材９６には、移動部材１０６が上方側に移動したときに、移動部材１０６が当たるストッパ（図示省略）が設けられている。
【００６１】
以上の構成の着脱装置９０では、移動部材１０６がカバー９２を保持する上方側の位置に移動した状態で、矯正ベルト８２と矯正ロール８４とのニップ圧（圧接荷重）が保持される。また、カバー９２のピン１３０によって、移動部材１０６がカバー９２を保持しない下方側の位置に移動した状態で、矯正ベルト８２と矯正ロール８４との圧接が解除される。このため、矯正ベルト８２と矯正ロール８４との圧接荷重の保持と、矯正ベルト８２と矯正ロール８４とのニップ解除動作の機能が分離されている。
【００６２】
一方、図５に示すカバー９２の離脱状態からカバー９２を装置本体１０Ａに対し装着する際には、カバー９２を装置本体１０Ａ側に移動させる（図６に示す矢印Ｃ方向を参照）。カバー９２を装置本体１０Ａに対し装着する動作に伴って、カバー９２のピン１３０が移動部材１０６の上側フック１０６Ｂの第２傾斜部１１４Ｃ及び頂部１１４Ｂと摺動する。これによって、図６に示されるように、ピン１３０に押されて移動部材１０６がスプリング１１０の力に抗して下方側に移動する。
【００６３】
さらに、カバー９２を装置本体１０Ａに対し装着する方向（矢印Ｃ方向）に移動させると、カバー９２のピン１３０が矢印Ｃ方向に移動することで、ピン１３０が上側フック１０６Ｂの第１傾斜部１１４Ａと摺動し、スプリング１１０の力によって、移動部材１０６が上方側に移動してくる。そして、矯正ロール８４のシャフト８４Ａが装置本体１０Ａに設けられた保持部材９６の凹部９６Ｂに挿入され、フロートバネ１２４が圧縮されることで、カバー９２が支持部材１２０に接近する方向に相対的に移動する。
【００６４】
図７に示されるように、カバー９２を装置本体１０Ａに対し装着する方向（矢印Ｃ方向）にさらに移動させると、スプリング１１０の力によって移動部材１０６が上方側に移動する。これによって、カバー９２の支持部材１２０に設けられた上側のピン１２６が、移動部材１０６の上側フック１０６Ｂの窪み部１０８と係合すると共に、カバー９２の支持部材１２０に設けられた下側のピン１２６が、移動部材１０６の下側フック１０６Ｃの窪み部１０８と係合する。これにより、移動部材１０６がカバー９２を装置本体１０Ａの装着位置で保持し、装置本体１０Ａに設けられた矯正ベルト８２とカバー９２に設けられた矯正ロール８４とのニップ圧（圧接荷重）が保持される。
【００６５】
以上の構成の着脱装置９０では、着脱部材が圧接荷重を保持する構成と比較して、矯正ベルト８２と矯正ロール８４との圧接を解除する際にカバー９２が装置本体１０Ａに対してロックされることが抑制される。
【００６６】
また、着脱装置９０では、着脱部材の装置本体に対する着脱方向に沿って移動部材が移動する構成と比較して、小さい操作力で移動部材１０６を移動させることでできる。
【００６７】
また、着脱装置９０では、着脱部材が、移動部材を保持する係合部と、該係合部の相対移動を許容する許容構造とを有しない構成と比較して、カバー９２の離脱開始と移動部材１０６の移動開始のタイミングをずらすことができる。
【００６８】
また、着脱装置９０では、解除部材が移動部材の傾斜部を摺動することによって移動部材を移動させる構成を有しないものと比較して、簡単な構造で移動部材１０６をカバー９２の着脱方向と異なる方向に移動させることができる。
【００６９】
さらに、画像形成装置１０では、着脱装置９０がカール除去装置に設けられていない構成と比較して、カール除去装置８０に設けられた矯正ベルト８２と矯正ロール８４との圧接を解除する際に、カバー９２が装置本体１０Ａに対してロックされることが抑制される。
【００７０】
また、上記実施形態では、着脱装置９０が、カール除去装置８０に設けられた矯正ベルト８２と矯正ロール８４とを圧接又は離脱する構成とされているが、本発明は、この構成に限定されるものではない。例えば、着脱装置９０が、定着装置２４に設けられた加熱ベルト２４Ａと加圧ロール２４Ｂとを圧接又は離脱する構成としてもよい。また、例えば、着脱装置９０が、二次転写位置に設けられた補助ロール５０と二次転写ロール２２とを圧接又は離脱する構成としてもよい。
【００７１】
また、本発明を特定の実施形態について詳細に説明したが、本発明はかかる実施形態に限定されるものではなく、本発明の範囲内にて他の種々の実施形態が可能であることは当業者にとって明らかである。
【符号の説明】
【００７２】
１０   画像形成装置
１０Ａ 装置本体
２４   定着装置
８０   カール除去装置
８２   矯正ベルト（一方の回転体の一例）
８４   矯正ロール（他方の回転体の一例）
９０   着脱装置
９２   カバー（着脱部材の一例）
１０６ 移動部材
１１０ スプリング（付勢部材の一例）
１１４Ａ      第１傾斜部（傾斜部の一例）
１２０ 支持部材（許容構造の一例）
１２２ フロートピン（許容構造の一例）
１２４ フロートバネ（許容構造の一例）
１２６ ピン（係合部の一例）
１３０ ピン（解除部材の一例）
Ｐ     用紙（記録媒体の一例）
【図１】
2017161652.tif 000003
【図２】
2017161652.tif 000004
【図３】
2017161652.tif 000005
【図４】
2017161652.tif 000006
【図５】
2017161652.tif 000007
【図６】
2017161652.tif 000008
【図７】
2017161652.tif 000009